(57)【要約】【課題】  映像を表示するだけではなく周囲を比較的明るく照射する照明装置として使用することが可能な映像表示装置およびその表示方法の提供。【解決手段】  映像表示装置１は映像を表示する表示部１１と、表示部１１を映像のモニターモードあるいは照明モードに切り替えるモード切替部１２と、照明モード時に表示部１１の輝度を任意の値に設定する輝度設定部１３と、照明モード時に表示部１１の発光色を任意の色に設定する発光色設定部１４とを含む。【選択図】      図１
2010151855.tif 000002
【特許請求の範囲】
【請求項１】
映像を表示する表示部と、前記表示部を前記映像のモニターモードあるいは照明モードに切り替えるモード切替部と、前記照明モード時に前記表示部の輝度を任意の値に設定する輝度設定部と、前記照明モード時に前記表示部の発光色を任意の色に設定する発光色設定部とを含むことを特徴とする映像表示装置。
【請求項２】
前記照明モード時に前記輝度設定部は輝度を一定値に固定させ、かつ前記発光色設定部は前記表示部を同一色で表示させることを特徴とする請求項１に記載の映像表示装置。
【請求項３】
前記表示部は液晶ディスプレイ、プラズマディスプレイあるいは有機ＥＬ（Ｅｌｅｃｔｒｏｌｕｍｉｎｅｓｅｎｃｅ）で構成されることを特徴とする請求項１または２に記載の映像表示装置。
【請求項４】
テレビジョンやパーソナルコンピュータの映像コンテンツの表示に用いられることを特徴とする請求項１から３のいずれかに記載の映像表示装置。
【請求項５】
映画館やテーマパーク等の屋内環境での映像コンテンツの表示に用いられることを特徴とする請求項１から３のいずれかに記載の映像表示装置。
【請求項６】
携帯電話の映像表示に用いられることを特徴とする請求項１から３のいずれかに記載の映像表示装置。
【請求項７】
表示部を映像のモニターモードあるいは照明モードに切り替えるモード切替ステップと、前記照明モード時に前記表示部の輝度を任意の値に設定する輝度設定ステップと、前記照明モード時に前記表示部の発光色を任意の色に設定する発光色設定ステップとを含むことを特徴とする映像表示装置の表示方法。
【請求項８】
前記照明モード時に前記輝度設定ステップは輝度を一定値に固定させ、かつ前記発光色設定ステップは前記表示部を同一色で表示させることを特徴とする請求項７に記載の映像表示装置の表示方法。
【請求項９】
前記表示部は液晶ディスプレイ、プラズマディスプレイあるいは有機ＥＬ（Ｅｌｅｃｔｒｏｌｕｍｉｎｅｓｅｎｃｅ）で構成されることを特徴とする請求項７または８に記載の映像表示装置の表示方法。
【請求項１０】
テレビジョンやパーソナルコンピュータの映像コンテンツの表示に用いられることを特徴とする請求項７から９のいずれかに記載の映像表示装置の表示方法。
【請求項１１】
映画館やテーマパーク等の屋内環境での映像コンテンツの表示に用いられることを特徴とする請求項７から９のいずれかに記載の映像表示装置の表示方法。
【請求項１２】
携帯電話の映像表示に用いられることを特徴とする請求項７から９のいずれかに記載の映像表示装置の表示方法。
【請求項１３】
コンピュータに、表示部を映像のモニターモードあるいは照明モードに切り替えるモード切替ステップと、前記照明モード時に前記表示部の輝度を任意の値に設定する輝度設定ステップと、前記照明モード時に前記表示部の発光色を任意の色に設定する発光色設定ステップとを実行させるためのプログラム。
【発明の詳細な説明】
【技術分野】
【０００１】
本発明は、映像表示装置およびその表示方法に関し、特にテレビジョンやパーソナルコンピュータ等の映像表示装置およびその表示方法に関する。
【背景技術】
【０００２】
本発明に関連するテレビジョンやパーソナルコンピュータ等の映像表示装置は、近年陰極線管（ＣＲＴ：Ｃａｔｈｏｄｅ  Ｒａｙ  Ｔｕｂｅ）を使用せず、ちらつきの比較的少ない光源が使用されている。したがって、長時間同じ画像を表示していても焼け付きを起こすおそれがないという特徴がある。
【０００３】
一方、関連する映像表示装置で表示されるのは画像あるいは文字の情報であり、表示部が比較的明るく発光するものの輝度や発光色が常に変化するため、照明装置の代わりとして使用することは困難である。
【０００４】
これに対し、映像表示装置に照明機能を付加した発明が特許文献１に開示されている。これはＬＣＤ（Ｌｉｑｕｉｄ  Ｃｒｙｓｔａｌ  Ｄｉｓｐｌａｙ）パネルをモニタ−モードと撮影モードに切り替えて使用するデジタルカメラに関するものであり、撮影モードの場合にはＬＣＤパネルの表面から光（ＡＦ（Ａｕｔｏ  Ｆｏｃｕｓ）補助光）が発光するよう構成されている。
【０００５】
また、上記特許文献１と同様に、特許文献２にデジタルカメラの前面に撮影画像の表示が可能な前面表示部を備え、このカメラで自分自身を撮影する場合には、前面表示部がたとえば白色で発光し、照明として被写体を照射する発明が開示されている。
【０００６】
また、ダイニングキッチン用のテレビジョン等の表示装置であり、表と裏の両面に表示装置を備え、表示装置を回動させなくても裏側から表示内容を確認できる発明が特許文献３に開示されている。また、この発明では表示装置を白色表示に切り替えることにより、照明を行う照明機能が兼ね備えられている。
【０００７】
【特許文献１】特開２００４−２２９０５０号公報
【特許文献２】特開２００４−２４１８８３号公報
【特許文献３】特開２００５−２３４４２３号公報
【発明の開示】
【発明が解決しようとする課題】
【０００８】
特許文献１に記載の発明は、ＬＣＤパネルをモニタモードと撮影モードの２つのモードに切り替えて使用する点、および撮影モード時にはＬＣＤパネルから光が発光する点が本発明と共通するものの、あくまでもＡＦ補助光としての機能にとどまり、本発明のように明るさや色合いを自由に変える機能は全く備えていない。
【０００９】
同様に、特許文献２に記載の発明もまたＡＦ補助光としての機能しか備えていない。すなわち、上記特許文献１および２に記載の発明の目的は、映像表示装置をＡＦ補助光代わりに使用することにあり、本発明のように周囲を比較的明るく照らし、映像表示装置を照明装置代わりに使用するという目的とは全く異なる。
【００１０】
また、特許文献３に記載の発明は、表示装置を照明として使用する点が本発明と共通するが、白色表示しかできない点で本発明と全く異なる。本発明は、輝度可変ダイヤルおよび発光色変更ダイヤルによって、明るさや色合いを自由に変える機能を備えており、明らかに特許文献３に記載の発明とは異なる発明である。
【００１１】
そこで本発明の目的は、映像を表示するだけではなく周囲を比較的明るく照射する照明装置として使用することが可能な映像表示装置およびその表示方法を提供することにある。
【課題を解決するための手段】
【００１２】
前記課題を解決するために本発明による映像表示装置は、映像を表示する表示部と、前記表示部を前記映像のモニターモードあるいは照明モードに切り替えるモード切替部と、前記照明モード時に前記表示部の輝度を任意の値に設定する輝度設定部と、前記照明モード時に前記表示部の発光色を任意の色に設定する発光色設定部とを含むことを特徴とする。
【００１３】
また、本発明による映像表示装置の表示方法は、表示部を映像のモニターモードあるいは照明モードに切り替えるモード切替ステップと、前記照明モード時に前記表示部の輝度を任意の値に設定する輝度設定ステップと、前記照明モード時に前記表示部の発光色を任意の色に設定する発光色設定ステップとを含むことを特徴とする。
【００１４】
また、本発明によるプログラムは、コンピュータに、表示部を映像のモニターモードあるいは照明モードに切り替えるモード切替ステップと、前記照明モード時に前記表示部の輝度を任意の値に設定する輝度設定ステップと、前記照明モード時に前記表示部の発光色を任意の色に設定する発光色設定ステップとを実行させるためのものであることを特徴とする。
【発明の効果】
【００１５】
本発明によれば、映像を表示するだけではなく周囲を比較的明るく照射する照明装置として使用することが可能な映像表示装置およびその表示方法が得られる。
【発明を実施するための最良の形態】
【００１６】
まず、実施例の説明に入る前に、本発明の動作原理について説明しておく。図１は本発明に係る映像表示装置の動作原理を示す図である。同図を参照すると、本発明に係る映像表示装置１は、表示部１１と、モード切替部１２と、輝度設定部１３と、発光色設定部１４とを含んで構成される。
【００１７】
表示部１１は映像を表示する。モード切替部１２は表示部１１を映像のモニターモードあるいは照明モードに切り替える。モニターモードは映像を表示するモードであり、一般に輝度や色が常に変化するため照明装置の代わりに使用することは困難である。これに対し、照明モードは表示部の輝度および発光色を任意に変更することが可能であり、輝度や色が常に変化するということはないため、照明装置の代わりとして使用することが可能である。
【００１８】
輝度設定部１３は表示部１１の輝度を任意の値に設定する。発光色設定部１４は表示部１１の発光色を任意の色に設定する。すなわち、モード切替部１２にてモードが映像のモニターモードに切り替えられた場合は、輝度設定部１３および発光色設定部１４は動作しないように構成されている。これに対し、モード切替部１２にてモードが照明モードに切り替えられた場合は輝度設定部１３は表示部１１の輝度を任意の値に設定し、発光色設定部１４は表示部１１の発光色を任意の色に設定するように構成されている。
【００１９】
以上説明したように、本発明によれば、映像のモニターモードに切り替えれば通常の映像を表示する表示装置となるが、照明モードに切り替えれば周囲を比較的明るく照射する照明装置としての使用が可能な映像表示装置が得られる。
【実施例１】
【００２０】
以下、本発明の実施例について説明する。まず、第１実施例について説明する。図２は本発明に係る映像表示装置の第１実施例の構成図である。なお、同図において、図１と同様部分については同一番号を付している。
【００２１】
図２を参照すると、映像表示装置１は、表示部１１と、モード切替部１２と、輝度設定部１３と、発光色設定部１４と、電源スイッチ１５と、制御部１６と、プログラム格納部１７とを含んで構成される。また、映像表示装置１の外部にパーソナルコンピュータ（以下、「パソコン」と表示する）本体２１を備えている。このように、第１実施例には、一例として、パソコン用の映像表示装置１が挙げられている。
【００２２】
表示部１１は映像コンテンツを表示する部位であり、一例として、液晶ディスプレイ、プラズマディスプレイあるいは有機ＥＬ（Ｅｌｅｃｔｒｏｌｕｍｉｎｅｓｅｎｃｅ）で構成される。モード切替部１２は、表示部１１の表示をモニターモードあるいは照明モードに切り替える。モニターモードは通常の映像を表示するモードであり、本実施例の場合はパソコンの表示画面となる。また、照明モードは表示部１１を照明の代わりに使用するモードである。
【００２３】
輝度設定部１３は表示部１１の輝度を任意の値に設定する部位である。発光色設定部１４は表示部１１の発光色を任意の色に設定する部位である。電源スイッチ１５は映像表示装置１の電源のオン・オフを制御する。なお、本実施例ではこの電源スイッチ１５をパソコン本体２１の電源のオン・オフにも連動させているが、パソコン本体２１の電源として別途設けることも可能である。
【００２４】
制御部１６は表示部１１と、モード切替部１２と、輝度設定部１３と、発光色設定部１４と、電源スイッチ１５と、パソコン本体２１とを制御する。プログラム格納部１７は制御部１６と接続されており、プログラム格納部１７には後述する映像表示装置の表示方法のプログラムが格納されている。
【００２５】
図３は映像表示装置１の一例の左側面図である。映像表示装置１の正面には表示部１１が設けられている。図４および図５は映像表示装置１とパソコン本体２１との一例の全体構成図である。図４は映像表示装置１がモニターモードに設定されている場合の一例を示している。図５は映像表示装置１が照明モードに設定されている場合の一例を示している。
【００２６】
まず、図４を参照しながらモニターモードについて説明する。映像表示装置１にはモード切替スイッチ１２ａと、輝度可変ダイヤル１３ａと、発光色変更ダイヤル１４ａと、電源スイッチ１５とが設けられている。また、表示部１１ａはモニターモードにおける画面、一例として顔の映像の画面を示している。
【００２７】
モード切替スイッチ１２ａはモード切替部１２に設けられるスイッチであり、表示部１１の表示をモニターモードあるいは照明モードに切り替えるためのものである。輝度可変ダイヤル１３ａは輝度設定部１３に設けられるダイヤルであり、表示部１１の輝度を任意の値に設定するためのものである。発光色変更ダイヤル１４ａは発光色設定部１４に設けられるダイヤルであり、表示部１１の発光色を任意の色に設定するためのものである。
【００２８】
このモニターモードでは輝度可変ダイヤル１３ａと、発光色変更ダイヤル１４ａとは動作しない。すなわち、表示部１１ａに表示される映像の輝度および発光色が変更されることはなく、表示部１１ａに入力された映像がそのまま表示される。
【００２９】
次に、図５を参照しながら照明モードについて説明する。映像表示装置１にはモード切替スイッチ１２ａと、輝度可変ダイヤル１３ａと、発光色変更ダイヤル１４ａと、電源スイッチ１５とが設けられている。なお、これらの各部位は図４に示すものと同様であるので、その説明を省略する。また、表示部１１ｂは照明モードにおける画面、一例として全画面の輝度が一定に、全画面の発光色が一定の同一色にそれぞれ固定された画面を示している。
【００３０】
この照明モードでは輝度可変ダイヤル１３ａと、発光色変更ダイヤル１４ａとが動作する。すなわち、表示部１１ａに表示される映像の輝度および発光色を所定の輝度および発光色に変更することが可能である。
【００３１】
次に、第１実施例の動作について説明する。図６は第１実施例の動作を示すフローチャートである。なお、以下の動作は制御部１６が、表示部１１と、モード切替部１２と、輝度設定部１３と、発光色設定部１４と、電源スイッチ１５と、パソコン本体２１とを制御することにより実行される。
【００３２】
まず、制御部１６は電源スイッチ１５のオンを検出する（ステップＳ１）。電源スイッチ１５のオンは操作者が電源スイッチ１５をオンに設定することにより実効される。次に、制御部１６はモード切替部１２にモードを設定させる（ステップＳ２）。このモードの設定は操作者がモード切替スイッチ１２ａを切り替えることにより開始され、モード切替部１２はその切り替え指示に応じてモニターモードあるいは照明モードにモードを設定する。
【００３３】
モード切替部１２によりモニターモードに切り替えられた場合（ステップＳ３にて“モニターモード”の場合）、輝度および発光色の設定は行われず、表示部１１に入力された映像がそのまま表示され、制御部１６は電源のオフを待つ。制御部１６が電源スイッチ１５のオフを検出すると（ステップＳ６にて“Ｙ”の場合）、動作は終了となる。なお、電源スイッチ１５のオフは操作者が電源スイッチ１５をオフに設定することにより行われる。
【００３４】
一方、モード切替部１２により照明モードに切り替えられた場合（ステップＳ３にて“照明モード”の場合）、制御部１６は輝度設定部１３に輝度を設定させる（ステップＳ４）。この輝度の設定は操作者が輝度可変ダイヤル１３ａを回動することにより開始され、輝度設定部１３はその回動指示に応じて全画面の輝度を所定の値に変更し、その値で固定する。
【００３５】
次に、制御部１６は、発光色設定部１４に発光色を設定させる（ステップＳ５）。この発光色の設定は操作者が発光色変更ダイヤル１４ａを回動することにより開始され、発光色設定部１４はその回動指示に応じて全画面の発光色を所定の同一色に変更し、その色で固定する。
【００３６】
次に、制御部１６は電源のオフを待つ。制御部１６が電源スイッチ１５のオフを検出しない場合（ステップＳ６にて“Ｎ”の場合）、ステップＳ２のモード設定に戻り、以下ステップＳ２〜Ｓ６を繰り返す。
【００３７】
以上説明したように、本発明の第１実施例によれば、パソコン用の映像表示装置１において、パソコン用の画像を表示するだけではなく、モード切替部１２による切り替え操作により、表示部１１を照明装置の代わりに使用することが可能となる。また、全画面を同一色で発光させ、かつ全画面の輝度を所定の値で固定することにより、表示画面の明るさを一定に保つことが可能となる。
【００３８】
さらに、この明るさは輝度設定部１３による輝度の変更により調光が可能となり、また発光色設定部１４により発光色の変更が可能となる。したがって、パソコンを使用しないときは映像表示装置１を卓上照明に用いることができ、映像表示装置１に別の付加価値を与えることが可能となる。
【実施例２】
【００３９】
映像表示装置１をテレビジョンの映像表示に用いることが可能である。すなわち、図２のパソコン本体２１をテレビジョンの受信装置本体に変更することにより、テレビジョンを照明装置の代わりに使用することが可能となるという付加価値が生じる。
【実施例３】
【００４０】
次に、第３実施例として、映画館やテーマパーク等の周囲を暗くした屋内環境３１で映像表示装置を使用する例について説明する。図７および図８は周囲を暗くした屋内環境で映像表示装置を使用する場合の一例の模式図である。なお、映像表示装置の構成は図２のパソコン本体２１が映画館やテーマパーク等の公知の映写装置本体（不図示）と置換されるのを除き、図２に示す第１実施例の構成と同様である。
【００４１】
図７を参照すると、周囲を暗くした屋内環境３１で映像表示装置１を照明モードで使用する例が表示されており、表示部１１ｃは照明モード用の表示に設定されていることを示している。また、図８を参照すると、周囲を暗くした屋内環境３１で映像表示装置１をモニターモードで使用する例が表示されており、表示部１１ｄはモニターモード用の表示に設定されていることを示している。
【００４２】
すなわち、映画館やテーマパーク等において上映が始まるまでは図７に示すように表示部１１を照明モード用１１ｃに切り替え、映像表示装置１を照明装置の代わりに使用し、周囲を明るくしておく。一方、映画館やテーマパーク等において上映が始まると、図８に示すように表示部１１をモニターモード用１１ｄに切り替え、デジタルコンテンツ等の映像コンテンツを表示部１１に表示する。
【００４３】
以上説明したように、本発明の第３実施例によれば、映画館やテーマパーク等の屋内環境において、映像コンテンツを表示するだけではなく周囲を比較的明るく照射する照明装置として使用することが可能な映像表示装置が得られる。
【実施例４】
【００４４】
次に、第４実施例として、本発明の映像表示装置を携帯電話に適用した例について説明する。図９は本発明に係る映像表示装置を携帯電話に適用した例を示す斜視図である。
【００４５】
同図を参照すると、携帯電話５１は表示部１１ｅと、懐中電灯切り替えスイッチ４１と、調光スイッチ１３ｂと、電源スイッチ１５ａとを含んで構成される。また同図には示していないが、図４に示す発光色変更ダイヤル１４ａを携帯電話５１に設けることも可能である。
【００４６】
この携帯電話５１は電話機能に加え、懐中電灯の機能を備えたものである。このため、電話機能から懐中電灯機能に切り替えるための懐中電灯切り替えスイッチ４１を含んでいる。この懐中電灯切り替えスイッチ４１は図４のモード切替スイッチ１２ａと同様の機能を有している。また、調光スイッチ１３ｂは図４の輝度可変ダイヤル１３ａと同様の機能を有している。
【００４７】
すなわち、携帯電話５１の構成は、図２に示す映像表示装置の構成（パソコン本体２１を除く）と同様であり、パソコン本体２１の代わりに公知の送受信部を備えたものである。これにより、懐中電灯切り替えスイッチ４１を懐中電灯機能に切り替えると、表示部１１ｅの表示が全画面同一色で発光するモードに切り替わる。そして、明るさの調節は調光スイッチ１３ｂで行う。また、発光色変更ダイヤル１４ａを設けた場合は、発光色の変更をこのダイヤル操作により行う。
【００４８】
携帯電話にはカメラでの撮影補助用にＬＥＤ（Ｌｉｇｈｔ  Ｅｍｉｔｔｉｎｇ  Ｄｉｏｄｅ）等の補助光が付いている物があるが、本発明の第４実施例によれば、その補助光よりも明るく周囲を照射する照明装置として使用することが可能な映像表示装置が得られる。
【実施例５】
【００４９】
次に、第５実施例について説明する。第５実施例は映像表示装置の表示方法のプログラムに関するものである。図２を参照すると本発明に係る映像表示装置はプログラム格納部１７を含んでいる。このプログラム格納部１７には図６にフローチャートで示す映像表示装置の表示方法のプログラムが格納されている。
【００５０】
制御部１６（“コンピュータ”）（図２参照）は、プログラム格納部１７から図６に示すプログラムを読み出し、そのプログラムにしたがって表示部１１と、モード切替部１２と、輝度設定部１３と、発光色設定部１４と、電源スイッチ１５と、パソコン本体２１とを制御する。その制御内容については既に述べたので、ここでの説明は省略する。
【００５１】
以上説明したように、本発明の第５実施例によれば、映像を表示するだけではなく周囲を比較的明るく照射する照明装置として使用することが可能な映像表示装置の表示方法のプログラムが得られる。
【産業上の利用可能性】
【００５２】
小型モニターの場合は、インテリアランプ代わりとして使用することも考えられるため、インテリア照明の分野に本発明の適用が可能である。また、映画館やテーマパークのみならず、その他の舞台照明の分野に本発明の適用が可能である。
【図面の簡単な説明】
【００５３】
【図１】本発明に係る映像表示装置の動作原理を示す図である。
【図２】本発明に係る映像表示装置の第１実施例の構成図である。
【図３】映像表示装置１の一例の左側面図である。
【図４】映像表示装置１とパソコン本体２１との一例の全体構成図である。
【図５】映像表示装置１とパソコン本体２１との一例の全体構成図である。
【図６】第１実施例の動作を示すフローチャートである。
【図７】周囲を暗くした屋内環境で映像表示装置を使用する場合の一例の模式図である。
【図８】周囲を暗くした屋内環境で映像表示装置を使用する場合の一例の模式図である。
【図９】本発明に係る映像表示装置を携帯電話に適用した例を示す斜視図である。
【符号の説明】
【００５４】
１  映像表示装置
１１，１１ａ  表示部
１１ｂ，１１ｃ  表示部
１１ｄ，１１ｅ  表示部
１２  モード切替部
１２ａ  モード切替スイッチ
１３  輝度設定部
１３ａ，１３ｂ  輝度可変ダイヤル
１４  発光色設定部
１４ａ  発光色変更ダイヤル
１５，１５ａ  電源スイッチ
１６  制御部
１７  プログラム格納部
２１  パソコン本体
３１  屋内環境
４１  懐中電灯切り替えスイッチ
５１  携帯電話
【図１】
2010151855.tif 000003
【図２】
2010151855.tif 000004
【図３】
2010151855.tif 000005
【図４】
2010151855.tif 000006
【図５】
2010151855.tif 000007
【図６】
2010151855.tif 000008
【図７】
2010151855.tif 000009
【図８】
2010151855.tif 000010
【図９】
2010151855.tif 000011